(57)【要約】【課題】本開示における洗濯機１００は、筐体１０２に洗剤をこぼすことを抑制できる。【解決手段】本開示における洗濯機１００は、筐体１０２と、筐体１０２に形成されたタンク収容部１３１に着脱可能に収容され、液体を貯蔵する液剤タンク１４０と、液剤タンク１４０に貯蔵された液体を吸引、吐出する液剤自動投入装置１３０と、を備える。また、液剤タンク１４０は、液剤タンク１４０がタンク収容部１３１に収容された状態でタンク収容部１３１から出し入れ可能であり、液剤タンク１４０の内部に液剤を案内する液剤案内部１６０を有する。これにより、使用者はタンク収容部１３１から引き出された液剤案内部１６０に液剤を注ぐことができるので、使用者が筐体１０２に洗剤をこぼすことを抑制できる。【選択図】図１２
2020171394.tif 000002
【特許請求の範囲】
【請求項１】
筐体と、前記筐体に形成されたタンク収容部に着脱可能に収容され、液体を貯蔵する液剤タンクと、前記液剤タンクに貯蔵された液体を吸引、吐出する液剤投入装置と、を備え、前記液剤タンクは、前記液剤タンクが前記タンク収容部に収容された状態で前記タンク収容部から出し入れ可能であり、引き出された状態で前記液剤タンクの内部に液剤を案内する液剤案内部を有する、洗濯機。
【請求項２】
前記液剤案内部は、正面方向に引き出し可能に構成された、請求項１に記載の洗濯機。
【請求項３】
前記液剤案内部は、後方に向かって下方傾斜して液剤を案内する液剤案内面と、前記液剤案内面を案内された液剤を前記液剤タンクの内部に流下させる液剤投入口と、を有する、請求項１又は２に記載の洗濯機。
【請求項４】
前記液剤案内部には、前記液剤投入口の後方位置に鉛直面が上下方向に形成され、前記鉛直面には、前記液剤タンクに貯蔵する液剤の貯蔵量の上限位置を示す上限表示が設けられている、請求項３に記載の洗濯機。
【請求項５】
前記液剤案内面は、前記液剤案内面の下端が前記上限表示よりも上方位置となるように形成されている、請求項４に記載の洗濯機。
【請求項６】
前記液剤タンクの底面及び前記タンク収容部には、前記液剤タンクが前記タンク収容部に収容された状態で、凹凸により互いに係合する係合部が形成され、
前記液剤案内部は、外部に露出する面において、上方から指をかけることが可能である指かけ部が形成されている、請求項１〜５のいずれか一項に記載の洗濯機。
【請求項７】
前記液剤タンクの正面側下部には、前記液剤タンクの正面と面一となるようにタンク本体把持部が設けられている、請求項６に記載の洗濯機。
【請求項８】
外枠と、前記外枠の上部に固定され、略中央部に開口する洗濯物投入口を形成された上部枠体と、前記洗濯物投入口を開閉自在に覆う蓋と、前記上部枠体における前記洗濯物投入口の後方位置に形成されたタンク収容部と、前記タンク収容部に着脱可能に収容され、液体を貯蔵する液剤タンクと、前記液剤タンクに貯蔵された液体を吸引、吐出する液剤投入装置と、を備え、
前記液剤タンクは、前記液剤タンクが前記タンク収容部に収容された状態で前記タンク収容部から出し入れ可能であり、引き出された状態で前記液剤タンクの内部に液剤を案内する液剤案内部を有する、洗濯機。
【請求項９】
前記タンク収容部は、前記洗濯物投入口に対して開口する略箱状に形成され、前記液剤タンクは、正面方向に取出し可能に構成されている、請求項８に記載の洗濯機。
【発明の詳細な説明】
【技術分野】
【０００１】
本開示は、洗濯機に関する。
【背景技術】
【０００２】
特許文献１は、洗剤自動投入装置を備えた洗濯機を開示する。
【０００３】
特許文献１における洗濯機は、外枠と、外枠に防振支持された外槽と、外槽内に回転自在に配設された洗濯兼脱水槽と、外枠の上部に配設された上部枠体と、液体洗剤を貯蔵する洗剤タンクと、洗濯兼脱水槽内に液体洗剤を投入する洗剤自動投入装置と、を備える。洗剤タンクの補給口は、上部枠体の上面に配置され、上方に開口させて設けられている。
【先行技術文献】
【特許文献】
【０００４】
【特許文献１】特開２００４−３１３２３４号公報
【発明の概要】
【発明が解決しようとする課題】
【０００５】
前記従来の洗濯機は、洗剤タンクの補給口が上部枠体の上面に開口する。従って、使用者が、洗剤タンクに洗剤を補給する際に、上部枠体の上面に洗剤をこぼす虞があった。
【０００６】
本開示は、使用者が上部枠体に洗剤をこぼすことを抑制できる洗濯機を提供する。
【課題を解決するための手段】
【０００７】
本開示における洗濯機は、筐体と、前記筐体に形成されたタンク収容部に着脱可能に収容され、液体を貯蔵する液剤タンクと、前記液剤タンクに貯蔵された液体を吸引、吐出する液剤投入装置と、を備える。また、前記液剤タンクは、前記液剤タンクが前記タンク収容部に収容された状態で前記タンク収容部から出し入れ可能であり、前記液剤タンクの内部に液剤を案内する液剤案内部を有する。
【発明の効果】
【０００８】
本開示における洗濯機は、使用者が洗濯機本体に洗剤をこぼすことを抑制できる。
【図面の簡単な説明】
【０００９】
【図１】実施の形態１における洗濯機の縦断面図
【図２】同洗濯機の蓋を閉じた状態の外観斜視図
【図３】同洗濯機の蓋を開いた状態の外観斜視図
【図４】同洗濯機の蓋を開いた状態の外観正面図
【図５】図４においてタンク収容部から液剤タンクを取り外した状態の外観正面図
【図６】同洗濯機の液剤自動投入装置の位置を示す模式図
【図７】同洗濯機の液剤タンクの分解斜視図
【図８】同洗濯機の液剤タンクとタンク収容部との収容状態を示す縦断面図
【図９】同洗濯機の液剤自動投入装置と液剤タンクとの接続を示す模式図
【図１０】（ａ）同洗濯機の液剤タンクのフィルタの正面図、（ｂ）同洗濯機の液剤タンクのフィルタの側面図
【図１１】同洗濯機の液剤タンクの引出部が収容された状態の縦断面図
【図１２】同洗濯機の液剤タンクの引出部が引き出された状態の縦断面図
【図１３】同洗濯機の液剤タンクの引出部を引き出した状態の外観正面図
【図１４】実施の形態２における洗濯機の蓋を開いた状態の外観正面図
【図１５】実施の形態３における洗濯機の外観正面図
【図１６】実施の形態４における洗濯機の外観正面図
【図１７】（ａ）実施の形態５における液剤タンクの液剤案内部が収容された状態の外観斜視図、（ｂ）同液剤タンクの液剤案内部が引き出された状態の外観斜視図
【図１８】（ａ）実施の形態６における液剤タンクの液剤案内部が収容された状態の外観斜視図、（ｂ）同液剤タンクの液剤案内部が引き出された状態の外観斜視図
【発明を実施するための形態】
【００１０】
以下、図面を参照しながら、実施の形態を詳細に説明する。なお、添付図面および以下の説明によって本発明が限定されるものではない。
【００１１】
（実施の形態１）
以下、図１〜図１３を用いて、実施の形態１を説明する。
【００１２】
（洗濯機の基本構成）
図１は、実施の形態１における洗濯機の縦断面図、図２は、同洗濯機の蓋を閉じた状態の外観斜視図、図３は、同洗濯機の蓋を開いた状態の外観斜視図である。
【００１３】
図２及び図３に示すように、洗濯機１００は、外枠１０１と、上部枠体１０２と、蓋１０３とを備えている。上部枠体１０２は、外枠１０１の上部に固定されており、略中央に洗濯物投入口１０４が形成されている。蓋１０３は、上部枠体１０２の洗濯物投入口１０４を覆うように開閉自在に配設されている。
【００１４】
図１に示すように、有底円筒状に形成された水槽１０６は、外枠１０１の内部に弾性支持されている。水槽１０６の内部は水を溜めることが可能であり、溜まった水は、排水弁（図示せず）が開放されることにより排水管（図示せず）から排出される。水槽１０６の内部には、洗濯兼脱水槽１０９が回転自在に保持されている。水槽１０６及び洗濯兼脱水槽１０９をまとめて、槽ユニット（図示せず）とする。
【００１５】
パルセータ１１０は、洗濯兼脱水槽１０９の底部に設けられている。パルセータ１１０が回転することにより、洗濯兼脱水槽１０９の内部の洗濯物を攪拌できる。
【００１６】
水槽１０６の底部には、モータ１１２が保持されている。モータ１１２は、パルセータ１１０を単独で回転させ、または、パルセータ１１０及び洗濯兼脱水槽１０９を同時に回転させる。
【００１７】
上部枠体１０２の後方には、液剤自動投入装置１３０等を収容する後方空間１１９が設けられている。後方空間１１９については後述する。
【００１８】
図２に示すように、上部枠体１０２の後方側には操作表示部１０５が設けられており、操作表示部１０５は表示部及び操作部を含む。使用者は、操作部を操作しながら表示部に表示される情報を確認し、洗濯機の運転条件を設定する。
【００１９】
図３に示すように、上部枠体１０２及び蓋１０３には、蓋ロック部１１６が設けられている。蓋ロック部１１６は、蓋の裏面に形成された蓋ロック挿入部１１６ａと、上部枠体１０２の上部に設けられた蓋ロック係合部１１６ｂと、により構成されている。蓋ロック係合部１１６ｂに蓋ロック挿入部１１６ａが挿入された状態で蓋ロック係合部１１６ｂが駆動されると、蓋ロック部１１６が施錠状態となる。なお、蓋ロック挿入部１１６ａを上部枠体１０２に設け、蓋ロック係合部１１６ｂを蓋１０３に設けてもよい。
【００２０】
水槽１０６の上方は、水槽カバー１０７により覆われている。水槽カバー１０７の一部は開口されており、開口を覆うように内蓋１０８が開閉自在に設けられている。使用者は、洗濯運転前に、蓋１０３とともに内蓋１０８を開けて、洗濯兼脱水槽１０９の内部に洗濯物を投入する。
【００２１】
（後方空間に収容された部品構成）
図４は、実施の形態１における洗濯機の蓋を開いた状態の外観正面図、図５は、図４においてタンク収容部から液剤タンクを取り外した状態の外観正面図である。
【００２２】
図４及び図５に示すように、洗濯物投入口１０４の後方には、左から、柔軟剤タンク１４０ｂ、洗剤タンク１４０ａ、洗剤入れ１２１、及び乾燥フィルタ部１１７が配置されている。縦型洗濯機は、外枠１０１の内部空間のほとんどを水槽１０６及び洗濯兼脱水槽１０９が占めるため、洗剤タンク１４０ａや柔軟剤タンク１４０ｂを収容する空間を確保することが難しい。上部枠体１０２の後部にある後方空間１１９を利用することで、従来の洗濯機から水槽１０６及び洗濯兼脱水槽１０９の配置を大きく変えることなく、液剤自動投入装置１３０を搭載することができる。
【００２３】
図５に示すように、上部枠体１０２の左側後方部には、前方に開口する略箱状に形成されたタンク収容部１３１が設けられている。タンク収容部１３１の左側には柔軟剤タンク１４０ｂが、タンク収容部１３１の右側には洗剤タンク１４０ａが、それぞれ着脱可能に収容されている。洗剤タンク１４０ａ及び柔軟剤タンク１４０ｂの前面側は洗濯物投入口１０４に露出しており、使用者は蓋１０３を開けた状態で洗剤タンク１４０ａ及び柔軟剤タンク１４０ｂを視認できる。柔軟剤タンク１４０ｂ及び洗剤タンク１４０ａの後方には、液剤自動投入装置１３０が配設されている。
【００２４】
洗剤入れ１２１は、洗剤手動投入部１２０の内部に引出可能に収納されている。使用者は、洗剤入れ１２１を引き出して内部に洗剤を投入し、洗濯を実行することができる。注水ホース１２２は、洗剤手動投入部１２０と水槽カバーの後部とを接続し、液剤や水を洗濯兼脱水槽１０９の内部に供給する。
【００２５】
乾燥フィルタ部１１７の後方には、乾燥装置（図示せず）が配設されている。乾燥装置は、乾燥フィルタ部１１７により濾過された空気を加熱し、水槽カバー１０７に取り付けられた乾燥空気用ホース１１８を介して洗濯兼脱水槽１０９の内部に収容された洗濯物に温風を送風する。洗濯物の乾燥を行う際、乾燥装置や乾燥空気用ホース１１８の周辺は高温となる。本実施の形態のように、柔軟剤タンク１４０ｂを乾燥装置や乾燥空気用ホース１１８の近傍から遠ざけることで、熱に弱い柔軟剤の変質を抑制できる。
【００２６】
（液剤自動投入装置）
図６は、実施の形態１における洗濯機の液剤自動投入装置の位置を示す模式図である。
【００２７】
液剤自動投入装置１３０は、タンク収容部側接続部１３２と、タンク収容部側接続部１３２から液剤を吸引し、吐出する自動投入駆動部（図示せず）と、を含む。図６に示すように、液剤自動投入装置１３０は、タンク収容部側接続部１３２を介して液剤タンク１４０と接続されるとともに、洗剤手動投入部１２０と接続されている。本実施の形態では、自動投入駆動部としてピストンポンプを採用しているが、エアポンプやギアポンプ、アスピレータ方式を採用してもよい。自動投入駆動部は、液剤タンク１４０に貯蔵された液剤を吸引し、液剤自動投入装置１３０内の経路を通じて洗剤手動投入部１２０に送り込む。
【００２８】
（タンク収容部）
タンク収容部１３１は、洗濯物投入口１０４に向かって開口する略箱状の空間として形成されている。タンク収容部１３１における、洗剤タンク１４０ａ及び柔軟剤タンク１４０ｂが挿入される面には、洗剤用及び柔軟剤用のタンク収容部側接続部１３２がそれぞれ設けられている。タンク収容部側接続部１３２は、前方に向けて凸となるように形成されている。
【００２９】
図５に示すように、タンク収容部側接続部１３２は、筒状の接続部保護リブ１３４で囲われている。接続部保護リブ１３４は、使用者がタンク収容部側接続部１３２に触れることを抑止するとともに、タンク収容部側接続部１３２に異物が付着することを抑止する。また、接続部保護リブ１３４の下側は、切欠きである保護リブ切欠き１３４ａが形成されている。これにより、使用者が洗剤タンク１４０ａ及び柔軟剤タンク１４０ｂを取り外した際にタンク収容部側接続部１３２から液剤が液だれしたとしても、液剤は保護リブ切欠き１３４ａからタンク収容部１３１に垂れ落ちる。
【００３０】
収容部窪み部１３５は、タンク収容部１３１の前方端部よりも後方に、タンク収容部１３１の底面を略四角形に窪ませて形成される。使用者が洗剤タンク１４０ａ及び柔軟剤タンク１４０ｂを取り外した際に、タンク収容部側接続部１３２から液だれした液剤がタンク収容部１３１に垂れ落ちたとしても、垂れ落ちた液剤は収容部窪み部１３５に溜まる。これにより、液剤はタンク収容部１３１から前方側の下方へ垂れ落ちづらいようになっているので、内蓋１０８や洗濯兼脱水槽１０９、水槽１０６等に付着することを抑制できる。
【００３１】
タンク収容部１３１の底面には、収容部ガイドリブ１３６が前後方向に形成されている。収容部ガイドリブ１３６は、洗剤タンク１４０ａ及び柔軟剤タンク１４０ｂをタンク収容部１３１に取り付ける際に、洗剤タンク１４０ａ及び柔軟剤タンク１４０ｂの挿入を案内する。
【００３２】
（液剤タンクの外観形状）
図７は、実施の形態１における洗濯機の液剤タンクの分解斜視図である。
【００３３】
洗剤タンク１４０ａと柔軟剤タンク１４０ｂの構成は略同一であるため、洗剤タンク１４０ａの構成を例に取り説明する。
【００３４】
図７に示すように、タンク本体１４１は、樹脂等の透明材料により上面が開口する略箱体形状に形成されている。タンク本体１４１の前面は、上部枠体１０２と同色の化粧板１４２により覆われており、外観上の統一感をもたせている。また、化粧板１４２の中央部には開口１４３が形成され、タンク本体１４１の開口１４３から露出する部分を透明窓１４４としている。使用者は、蓋１０３を開けた状態で透明窓１４４からタンク本体１４１の内部を視認できる。なお、透明窓１４４及び化粧板１４２は、洗剤タンク１４０ａがタンク収容部１３１に収容された状態で上部枠体１０２と面一に形成されている。
【００３５】
透明窓１４４には目盛り表示１４５が刻印されており、使用者は目盛り表示１４５を見てタンク本体１４１に貯蔵された洗剤の残量を確認できる。目盛り表示１４５の間隔は、一度の洗濯運転において液面が下降したことを視認できる間隔となるように構成される。更に、本実施の形態における目盛り表示１４５は、一番下の目盛りを除き、一目盛りの容量が洗濯運転を二回実行した際に平均的に消費される洗剤量と対応するように形成されている。一番下の目盛りについては、後述する。
【００３６】
なお、本実施の形態では、目盛り表示１４５を刻印で形成しているが、レーザー印字やフィルム貼り付けにより目盛り表示を設けてもよい。また、化粧板１４２に、目盛り表示
１４５を設けてもよい。
【００３７】
図８は、実施の形態１における洗濯機の液剤タンクとタンク収容部との収容状態を示す断面図である。
【００３８】
図８に示すように、タンク収容部１３１の底面には、上に凸である爪１３７が形成されている。一方、タンク本体１４１の底部には、洗剤タンク１４０ａがタンク収容部１３１に収容された状態で爪１３７と対向する位置に、溝１４６が形成されている。爪１３７の後方の面は、洗剤タンク１４０ａがタンク収容部１３１に収容された状態で溝１４６と当接し、タンク本体１４１をタンク収容部１３１に係止する。爪１３７と溝１４６による係合は、洗剤タンク１４０ａを上方へ持ち上げることでのみ解除可能となっている。
【００３９】
化粧板１４２の下端には、タンク本体１４１の底面より下方に突出するタンク本体把持部１４７が形成されている。一方、図５に示すように、タンク収容部１３１の底面の前方端部は切り欠けられており、切り欠いた部分を収容部底面切欠き１３８としている。使用者は、洗剤タンク１４０ａを取り外す際、タンク本体把持部１４７の下方から収容部底面切欠き１３８に手を差し入れ、タンク本体把持部１４７に手をかける。使用者がタンク本体把持部１４７を上方へ持ち上げると、溝１４６と爪１３７との係合が解除され、タンク本体把持部１４７を手前に引くことで、洗剤タンクが取り外される。本実施の形態におけるタンク本体把持部１４７は、上部枠体１０２と面一に形成されているため、外部から視認されづらい。これにより、使用者が、洗剤タンク１４０ａを取り出そうと思っていない時に、誤って洗剤タンク１４０ａをタンク収容部１３１から取り外すことを抑制できる。なお、本実施の形態では、化粧板１４２にタンク本体把持部１４７を設けたが、タンク本体１４１の下部を底面より下方に突出させ、突出させた部分をタンク本体把持部１４７としてもよい。
【００４０】
（液剤タンク側接続部）
図９は、実施の形態１における洗濯機の液剤自動投入装置と液剤タンクとの接続を示す模式図である。
【００４１】
図９に示すように、タンク本体１４１の背面には、タンク収容部１３１に配設されたタンク収容部側接続部１３２と接続する液剤タンク側接続部１５０が設けられている。液剤タンク側接続部１５０は、筒状であるとともに、鈍角である略逆Ｌ字形状となるように折れ曲がって形成されている。タンク本体１４１に取り付けられた状態において、筒部１５１はタンク本体１４１の背面から後方に突出し、吸入管部１５４はタンク本体１４１の内側面から内底面に延伸する。
【００４２】
タンク本体１４１への取り付けの際には、タンク本体１４１の背面に形成された円形孔１４８から吸入管部１５４を水平に差し込み、下方へと回動させて筒部１５１が水平となる位置に嵌め込む。液剤タンク側接続部１５０の折れ曲がり部分を通過させるため、円形孔１４８は吸入管部１５４よりも大きく形成する必要がある。これに対し、折れ曲がりの角度を鈍角に形成することで、円形孔１４８が比較的小さくても吸入管部１５４を円形孔１４８に通過できるようにしている。吸入管部１５４には、接続部パッキング１５３が取り付けられており、接続部パッキング１５３は、円形孔１４８と吸入管部１５４との間隙を密封する。
【００４３】
筒部１５１は、タンク本体１４１の背面中央部よりも端側であって、底面より高い位置に位置する。筒部１５１は、吸入管部１５４との境界部分にフランジ１５８が形成されており、フランジ１５８においてタンク本体１４１の背面に螺結されている。筒部１５１は、液剤タンク側接続部１５０を挿入される際に、タンク収容部側接続部１３２と液剤タン
ク側接続部１５０との接続の位置決めを行う。筒部１５１の内部には逆止弁１５２が配設されている。逆止弁１５２は、通常時には閉塞しており、洗剤タンク１４０ａ内に収容される洗剤が外部へ漏れることを抑止する。逆止弁１５２は、タンク収容部側接続部１３２により前方へ押し込まれている時のみ開放し、洗剤タンク１４０ａ内に貯蔵されている洗剤が液剤自動投入装置１３０に吸引されることを可能にする。
【００４４】
吸入管部１５４は、筒部１５１と連通するとともに、タンク本体１４１の内底面近傍に向けて傾斜して延伸している。吸入管部１５４は、タンク本体１４１に貯蔵された液剤の液位がタンク収容部側接続部１３２よりも下方である場合に、液剤を吸い上げるために設けられている。吸入管部１５４を設けることで、液剤自動投入装置１３０よりも下方にタンク本体１４１を設置することが可能となり、設計上の自由度が向上する。
【００４５】
（吸入管部周辺の構成）
図１０（ａ）は、同洗濯機の液剤タンクのフィルタの正面図、図１０（ｂ）は、同洗濯機の液剤タンクのフィルタの側面図である。
【００４６】
図９に示すように、タンク本体１４１の内底部には、吸入管部１５４を覆うようにフィルタ１５５が配設される。フィルタ１５５は、逆Ｌ字状に形成されており、タンク本体１４１内部の短手方向の内側面及び内底面に当接するように構成されている。前述のように、タンク本体１４１は樹脂等の透明材料により形成されており、透明樹脂の材質では強度を担保しづらい。そこで、フィルタ１５５がタンク本体１４１の内側面を短手方向に突っ張ることにより、タンク本体１４１の短手方向の強度を補強している。これにより、タンク本体１４１が、短手方向においてタンク本体１４１の内側に撓むことを抑制できる。
【００４７】
図１０（ａ）及び図１０（ｂ）に示すように、フィルタ１５５は、等間隔に略四角形の孔１５５ａが並ぶように格子状に形成されている。フィルタ１５５の表面側には、上面から下面にかけて孔１５５ａよりも突出するようにリブ１５５ｂが形成されている。使用者が液剤タンク１４０を清掃する際、フィルタ１５５がタンク本体１４１に装着された状態でリブ１５５ｂが表面側に面しているので、リブ１５５ｂに溜まった洗剤や異物を取り除きやすい。
【００４８】
また、格子状の樹脂部品を成形する場合、樹脂部品の厚みを大きく形成すると金型の強度が担保できない虞がある。そこで、本実施の形態におけるフィルタ１５５は、孔１５５ａの辺とフィルタ１５５の厚みが同程度の長さになるように形成されている。フィルタ１５５の強度は、リブ１５５ｂを格子状に設けることで補強している。
【００４９】
フィルタ１５５の裏面には、裏面から垂下形成された垂下リブ１５６が設けられており、垂下リブ１５６は、タンク本体１４１の底面及び吸入管部１５４が取り付けられた面と当接する。また、垂下リブ１５６の下部には、液体が移動できるように切欠けられた垂下リブ連通部１５６ａが設けられている。垂下リブ１５６は、吸入管部１５４と干渉しないようにタンク本体１４１の中心線から吸入管部１５４の反対側にずらした位置に配置されており、フィルタ１５５の強度を補強する。
【００５０】
フィルタ１５５は、タンク本体１４１から取り外した状態でも垂下リブ１５６により自立する。従って、フィルタ１５５を取り外して水洗いした場合、フィルタ１５５を立てて乾燥させることができるので、乾燥時にフィルタ１５５の内部が汚れることを抑制できる。また、誤ってフィルタ１５５の表面側を下にした場合、リブ１５５ｂが接地するのでフィルタ１５５の表面側が汚れることを最小限に抑えることができる。
【００５１】
また、タンク本体１４１の内底面の透明窓側には、タンク本体１４１の内底面の液剤タ
ンク側接続部１５０よりも高くなるように、段差１５７が形成されている。洗剤の液面が吸入管部１５４の下端より下になった場合、残りの洗剤は吸引できないため、タンク本体１４１を清掃する際に使用者により廃棄される。本実施の形態では、吸入管部１５４の下端と同じ高さとなるように段差１５７を形成したことで、吸入管部１５４の下端より下方に貯蔵される洗剤容量を低減することができ、使用者が廃棄する洗剤の量を低減することができる。
【００５２】
（液剤案内部の概要）
図１１は、実施の形態１における洗濯機の液剤タンクの引出部が収容された状態の縦断面図、図１２は、同洗濯機の液剤タンクの引出部が引き出された状態の縦断面図、図１３は、同洗濯機の液剤タンクの引出部を引き出した状態の外観正面図である。  本実施の形態における液剤案内部１６０は、液剤を案内する引出部１６１と、タンク本体１４１の上部に装着され、引出部１６１と摺動する引出受部１６２により構成されている。
【００５３】
図１１及び図１２に示すように、引出部１６１は、引出受部１６２に対して前後方向に引き出し可能に構成されており、引出部１６１の前面は、引出部１６１を引出受部１６２に収容した状態で上部枠体１０２と面一となっている。引出部１６１を引出受部１６２から引き出す時、引出部１６１に設けられた摺動部１６１ａと引出受部１６２に形成されたレール部１６２ｂとが、前後方向に摺動する。
【００５４】
また、引出部１６１を引き出した状態で第１の傾斜面１６６（後述）の下部が引出受部１６２の当接面１６２ａに当接し、それ以上前方へ引き出せなくなる構成となっている。
【００５５】
図１１に示すように、引出受部１６２の下部には引出受部係合部１６２ｃが設けられ、引出受部１６２をタンク本体１４１に着脱可能に固定する。引出受部１６２の下部には、ゴム等で形成された引出部パッキング１６３が取り付けられており、引出受部１６２がタンク本体１４１に固定された状態でタンク本体１４１と引出受部１６２との間を密封する。
【００５６】
液剤案内部１６０は、使用者が液剤を補給する際、引出部１６１が前方に引き出されることで引出部１６１の前方下方に空間を生じさせる。これにより、使用者は、市販洗剤の容器の口を引出部１６１の近傍に保持し、少しずつ容器を傾けて引出部１６１に洗剤を投入することができる。このように、引出部を引き出せる構成にすることで、使用者がボトルの口から流下する洗剤量や流下位置を調節できるため、洗剤をこぼしにくくなる。
【００５７】
（引出部把持部）
図１１に示すように、引出部１６１の前面には、引出部１６１を引き出す際に用いる引出部把持部１６４が設けられている。引出部把持部１６４は、開口部１６５と、第１の傾斜面１６６（後述）の裏面である第１の傾斜裏面１６６ｂと、開口部１６５の下方に位置する開口部底面１６７と、開口部底面１６７の下端に位置する水抜き孔１６８と、開口部１６５の下方に設けられた指かけ部１６９と、を備えている。
【００５８】
引出部把持部１６４の上面は、第１の傾斜裏面１６６ｂで構成されているので、前方から後方にかけて下方傾斜している。これにより、使用者は、開口部１６５から第１の傾斜裏面１６６ｂの傾斜方向に沿って指を入れるため、指かけ部１６９に指を置くように誘導できる。
【００５９】
本実施の形態における指かけ部１６９は、開口部１６５の下辺近傍に設定されているため、開口部１６５の下辺は開口部底面１６７よりも上方に突出して形成されている。これにより、使用者は、開口部１６５から指を入れて指かけ部１６９の裏面側に指をかけるこ
とができる。このように、指かけ部１６９を開口部１６５の下辺近傍に設定することで、開口部１６５の上辺近傍に設定した場合と比較すると、引出部把持部１６４の内部空間を大きく確保できる。
【００６０】
また、開口部底面１６７は、後方から前方にかけて下方傾斜している。これにより、開口部底面１６７に落下した埃や液体は、開口部底面１６７を伝って水抜き孔１６８から流下する。
【００６１】
また、本実施の形態における指かけ部１６９は、引出部把持部１６４の下部に設けられている。使用者が指かけ部１６９に指をかけて引出部１６１を前方に引き出す時、引出部１６１に下方向きの力がかかるとともに、タンク本体１４１にも下方向きの力がかかる。前述の通り、タンク本体１４１とタンク収容部１３１との係合は、上方へ持ち上げることで解除される。従って、指かけ部１６９に下向きの力がかかってもタンク本体１４１とタンク収容部１３１との係合は外れないため、使用者が引出部１６１を引き出す際に洗剤タンク１４０ａがタンク収容部１３１から外れることを防止できる。
【００６２】
（液剤案内面、液剤投入口、上限表示面）
図１１に示すように、引出部１６１の内部には、前方から後方にかけて下方傾斜する第１の傾斜面１６６及び第２の傾斜面１７０が形成されている。第２の傾斜面１７０は、第１の傾斜面１６６の傾斜よりも緩やかになっている。前述の通り、第１の傾斜表面１６６ａは、引出部把持部１６４の上面である第１の傾斜裏面１６６ｂの表側である。
【００６３】
第２の傾斜面１７０の後方には、タンク本体１４１の内部に開口する液剤投入口１７１が配置されており、液剤投入口１７１はタンク本体１４１の内外を連通させる。引出部１６１を前方に引き出した際、フィルタ１５５は、液剤投入口１７１の後方となるように配置されており、液剤投入口１７１から流下する洗剤は、フィルタ１５５の水平面に落下しないように構成されている。これにより、液剤投入口１７１から流下する洗剤は、タンク本体１４１の内底面に落下し、フィルタ１５５の前面側からフィルタ１５５の内部へ流入する。フィルタ１５５の内部の空気は、フィルタ１５５の上部である水平面から容易に抜けるため、フィルタ１５５の内部の空気と洗剤の置換が円滑に行われる。
【００６４】
また、第２の傾斜面１７０は、図１３に示すように、上部（前方）から下部（後方）にかけて狭くなるように形成されており、流下する洗剤を整流する。
【００６５】
液剤投入口１７１の後方に当たる位置には、引出部１６１の一部として、上下に形成された上限表示面１７２が形成されている。上限表示面１７２には、タンク本体１４１の内部に貯蔵する液剤の上限位置を示す上限表示１７２ａを設けている。本実施の形態では、上限表示１７２ａとして水平に形成した線を設けているが、線ではなく三角形や矢印等の記号で表記してもよい。
【００６６】
また、目盛り表示１４５に設けられた一番下の目盛りは、下限表示１４５ａとしている。下限表示１４５ａは、洗剤タンク１４０ａを取り外して内部を清掃する際の目安として用いられる。下限表示１４５ａは、吸入管部１５４の内部に残留する洗剤と下限表示１４５ａまで貯蔵された洗剤の量とを合わせると、洗濯運転を一回実行することにより消費される洗剤の量となるように構成される。吸入管部１５４の内部に残留した洗剤の量を考慮して下限表示１４５ａを設けることで、タンク本体１４１の内部を清掃する際の廃棄分を少なくすることができる。また、下限表示１４５ａは吸入管部１５４の下端よりも高い位置に配置されていることにより、吸入管部１５４の下端から空気が入ることがないようになっている。
【００６７】
使用者が洗剤を補給する際、引出部１６１をタンク収容部１３１から引き出し、上方から上限表示１７２ａを覗きながら、第１の傾斜面１６６又は第２の傾斜面１７０に洗剤を投入する。この時、引出部１６１に設けられた上限表示１７２ａは、引出部１６１が引き出された際に収容状態よりも手前に移動している。従って、洗剤を補給する際の上限表示１７２ａは、タンク収容部１３１の内部の暗い位置よりも手前に位置しており、使用者が視認しやすくなっている。ただし、引出部１６１を引き出した状態においても、上限表示面１７２はタンク収容部１３１の内部に位置しており外部からの光が当たりづらい。そこで、本実施の形態における上限表示１７２ａは、明暗がはっきりしているレーザー印字を採用し、視認性を担保している。なお、レーザー印字の代わりに、刻印やフィルム貼り付けを用いてもよい。
【００６８】
上限表示面１７２の下部には、上限表示１７２ａ近傍まで切欠いた上限表示面切欠き１７２ｂが形成されている。これにより、使用者が洗剤を補給する際、上限表示面切欠き１７２ｂ部からタンク本体１４１の内部を覗いて液面が上昇する様子を確認できる。更に、液面が上限表示面１７２の下端まで到達すると、上限表示面切欠き１７２ｂから見える洗剤の色と上限表示面１７２の色とのコントラストが視認できる。これにより、使用者が上限表示１７２ａ近傍まで液面が到達したことに気づくことができるため、タンク本体１４１の上限以上に洗剤を入れることを抑制できる。なお、貯蔵する液剤とのコントラストを大きくするためには、上限表示面１７２の色は白色とするのが好適である。
【００６９】
第２の傾斜面１７０の下部は下方に曲げられて下端部１７０ａを形成されており、下端部１７０ａは上限表示１７２ａよりも上方に位置するように構成されている。これにより、上限表示１７２ａ近傍まで洗剤が貯蔵されている場合でも、下端部１７０ａが液面に接触しないようになっている。そのため、引出部１６１を出し入れする際、下端部１７０ａが洗剤を掻き出し、洗剤を周りに飛び散らせることを抑制できる。
【００７０】
また、上限表示面１７２の裏面は、洗剤タンク１４０ａをタンク収容部１３１に収容した状態で、引出受部１６２と当接しないよう隙間ｘを設けている。これにより、使用者が勢いよく引出部１６１を押し込んだ場合に、上限表示面１７２と引出受部１６２との間で洗剤が挟まれて飛散することを抑止できる。
【００７１】
以上のように構成された洗濯機１００について、その動作を以下説明する。
【００７２】
（自動投入動作を伴う洗濯運転）
自動投入機能がＯＮとなっている場合の洗濯運転について説明する。使用者は、蓋１０３を開いて洗濯物投入口１０４から洗濯兼脱水槽１０９内に洗濯物を投入し、操作表示部１０５を操作して電源をＯＮにする。続いて、使用者は、操作表示部１０５を操作して各種コースを選択し、洗濯運転を開始させる。以下、洗剤タンク１４０ａを例にとり自動投入動作を説明する。柔軟剤タンク１４０ｂにおける自動投入動作は、濯ぎ工程において自動投入動作が実行されることを除くと、略同一である。
【００７３】
まず、投入された洗濯物の量を検知する布量検知動作が行われ、制御装置１１４は、検知された布量に応じた液剤吸引時間を算出して液剤自動投入装置１３０に自動投入動作を開始させる。
【００７４】
自動投入動作が開始すると、算出された液剤吸引時間の間、自動投入駆動部が駆動して洗剤タンク１４０ａに貯蔵された洗剤を吸引する。前述の通り、逆止弁１５２は、洗剤タンク１４０ａがタンク収容部１３１に収容された状態で、開放している。従って、液剤は、液剤タンク側接続部１５０を介して液剤自動投入装置１３０に吸引され、液剤自動投入装置１３０内の経路を通過して洗剤手動投入部１２０の内部に吐出される。制御装置１１
４は、給水弁を開放し、吐出された液剤が通過した液剤自動投入装置１３０内の経路に注水する。注水された水は、液剤が通過した経路を洗い流すとともに、洗剤手動投入部１２０に到達して洗剤手動投入部１２０内の洗剤を溶かし、注水ホース１２２を介して洗濯兼脱水槽１０９内に供給される。所定量の給水が終了すると、洗い工程が開始する。設定したコースにおける一連の工程が終了すると、洗濯運転が終了する。
【００７５】
（作用等）
以上のように、本実施の形態において、洗濯機１００は、上部枠体１０２と、上部枠体１０２に形成されたタンク収容部１３１に着脱可能に収容され、液体を貯蔵する液剤タンク１４０と、液剤タンク１４０に貯蔵された液体を吸引、吐出する液剤自動投入装置１３０と、を備える。液剤タンク１４０は、液剤タンク１４０がタンク収容部１３１に収容された状態でタンク収容部１３１から出し入れ可能であり、引き出された状態で液剤タンク１４０の内部に液剤を案内する液剤案内部１６０を有する。
【００７６】
これにより、液剤タンク１４０がタンク収容部１３１に収容された状態で、液剤タンク１４０の一部である液剤案内部１６０をタンク収容部１３１の外に突出した状態にすることができる。そのため、使用者が液剤を補給する際、使用者が上部枠体に洗剤をこぼすことを抑制できる。
【００７７】
本実施の形態のように、液剤案内部１６０は、正面方向に引き出し可能な引出部１６１及び引出受部１６２で構成されていてもよい。
【００７８】
これにより、引出部１６１が前方に引き出されることで引出部１６１の前方下方に空間を生じさせる。そのため、使用者は、市販洗剤の容器の口を引出部１６１の近傍に保持し、少しずつ容器を傾けて引出部１６１に洗剤を投入することができる。
【００７９】
本実施の形態のように、液剤案内部１６０は、後方に向かって下方傾斜して液剤を案内する第１の傾斜面１６６及び第２の傾斜面１７０と、第１の傾斜面１６６及び第２の傾斜面１７０に案内された液剤を液剤タンク１４０の内部に流下させる液剤投入口１７１と、を有してもよい。
【００８０】
これにより、液剤案内部１６０に投入された液剤は、第１の傾斜面１６６及び第２の傾斜面１７０を伝って液剤投入口１７１から下方へ流下する。
【００８１】
本実施の形態のように、液剤案内部１６０には、液剤投入口１７１の後方位置に上限表示面１７２が上下方向に形成され、上限表示面１７２には、液剤タンク１４０に貯蔵する液剤の貯蔵量の上限位置を示す上限表示１７２ａが設けられていてもよい。
【００８２】
これにより、引出部１６１が引出受部１６２から引き出された際、引出部１６１に設けられた上限表示１７２ａは前方位置に移動する。そのため、使用者が液剤を補給する際、光が差し込みやすく、使用者の視点に近い位置に上限表示１７２ａが移動するので、使用者が上限表示１７２ａを視認しやすくなる。
【００８３】
本実施の形態のように、第１の傾斜面１６６及び第２の傾斜面１７０は、第２の傾斜面１７０の下端である下端部１７０ａが上限表示１７２ａよりも上方位置となるように形成されていてもよい。
【００８４】
これにより、上限表示１７２ａ近傍まで洗剤が貯蔵されている場合でも、下端部１７０ａが液面に接触しないようになっている。そのため、引出部１６１を出し入れする際、下端部１７０ａが洗剤を掻き出し、洗剤を周りに飛び散らせることを抑制できる。
【００８５】
本実施の形態のように、液剤タンク１４０の底面及びタンク収容部１３１には、液剤タンク１４０がタンク収容部１３１に収容された状態で、凹凸により互いに係合する爪１３７及び溝１４６が形成され、液剤案内部１６０は、外部に露出する面において、上方から指をかけることが可能である指かけ部１６９が形成されていてもよい。
【００８６】
これにより、タンク本体１４１とタンク収容部１３１との係合は、上方へ持ち上げることで解除されるようになっている。一方で、使用者が指かけ部１６９に指をかけて引出部１６１を前方に引き出す際、引出部１６１及びタンク本体１４１には下方向きの力がかかるようになっている。そのため、指かけ部１６９にかけられた下向きの力によって爪１３７及び溝１４６による係合が外れないため、使用者が引出部１６１を引き出す際に洗剤タンク１４０ａがタンク収容部１３１から外れることを抑制できる。
【００８７】
本実施の形態のように、液剤タンク１４０の正面の一部として配設された化粧板１４２の下部には、液剤タンク１４０の正面と面一となるようにタンク本体把持部１４７が設けられていてもよい。
【００８８】
これにより、タンク本体把持部１４７は、上部枠体１０２と面一に形成されているため、外部から視認されづらい。そのため、使用者が、液剤を補給する際等に、誤って洗剤タンク１４０ａをタンク収容部１３１から取り外すことを抑制できる。
【００８９】
本実施の形態のように、洗濯機１００は、外枠１０１と、外枠の上部に固定され、略中央部に開口する洗濯物投入口１０４を形成された上部枠体１０２と、洗濯物投入口１０４を開閉自在に覆う蓋１０３と、上部枠体１０２における洗濯物投入口１０４の後方位置に形成されたタンク収容部１３１と、タンク収容部１３１に着脱可能に収容され、液体を貯蔵する液剤タンク１４０と、液剤タンク１４０に貯蔵された液体を吸引、吐出する液剤自動投入装置１３０と、を備える。液剤タンク１４０は、液剤タンク１４０がタンク収容部１３１に収容された状態でタンク収容部１３１から出し入れ可能であり、引き出された状態で液剤タンク１４０の内部に液剤を案内する液剤案内部１６０を有していてもよい。
【００９０】
本実施の形態のように、洗濯機１００は、タンク収容部１３１は、洗濯物投入口１０４に対して開口する略箱状に形成され、液剤タンク１４０は、正面方向に取出し可能に構成されていてもよい。
【００９１】
（実施の形態２）
以下、図１４を用いて、実施の形態２を説明する。
【００９２】
（構成）
図１４は、実施の形態２における洗濯機の蓋を開いた状態の外観正面図である。
【００９３】
実施の形態２における洗濯機２００は、乾燥装置を備えていないので、水槽カバー、内蓋、注水ホース等が設けられていない。注水ホースの代わりに、洗剤手動投入部２２０の下部には注水口（図示せず）が形成され、液剤自動投入装置２３０から流れてきた水及び洗剤を下方に流下させる。洗剤入れの前方下部には洗剤入れガイド２３０ａが鉛直下方形成されており、注水口から流下してきた水及び洗剤を洗濯兼脱水槽２０９の内部へと案内する。
【００９４】
（作用等）
以上のように、本実施の形態において、洗濯機２００は、外枠２０１と、外枠２０１の上部に固定され、略中央部に開口する洗濯物投入口２０４を形成された上部枠体２０２と
、外枠２０１の内部に揺動自在に支持され、洗濯物投入口２０４に対向するように開口する槽ユニットと、洗濯物投入口２０４を開閉自在に覆う蓋２０３と、上部枠体２０２における洗濯物投入口２０４の後方位置に形成されたタンク収容部２３１と、タンク収容部２３１に着脱可能に収容され、液体を貯蔵する液剤タンク２４０と、液剤タンク２４０に貯蔵された液体を吸引、吐出する液剤投入装置２３０と、を備える。液剤タンク２４０は、液剤タンク２４０がタンク収容部２３１に収容された状態でタンク収容部２３１から出し入れ可能であり、引き出された状態で液剤タンク２４０の内部に液剤を案内する液剤案内部２６０を有する。
【００９５】
これにより、使用者が洗剤タンク２４０ａ又は柔軟剤タンク２４０ｂに液剤補給する際に誤って液剤をこぼしたとしても、液剤は洗濯兼脱水槽２０９の内部に落下する。そのため、内蓋を備えない洗濯機２００において、洗濯兼脱水槽２０９の上方に洗剤タンク２４０ａ及び柔軟剤タンク２４０ｂを配置することで、液剤が洗濯機本体に付着することを抑制できる。
【００９６】
（実施の形態３）
以下、図１５を用いて、実施の形態３を説明する。
【００９７】
（構成）
図１５は、実施の形態３における洗濯機の外観正面図である。
【００９８】
図１５に示すように、実施の形態３における洗濯機３００は、洗濯機本体の正面に洗剤タンク３４０ａ及び柔軟剤タンク３４０ｂが着脱可能に配設されている。液剤案内部３６０を設けたことにより、洗濯機本体の上面に開口するように洗剤タンク３４０ａ及び柔軟剤タンク３４０ｂを配置しなくてよいので、タンク収容部３３１を洗濯機本体の正面側に配置可能となる。なお、透明窓３４４を設ける代わりに液剤タンク内に検知機構を設け、検知機構により検知された結果を操作表示部３０５に表示してもよい。
【００９９】
（作用等）
以上のように、本実施の形態において、洗濯機３００は、筐体３０１と、筐体３０１の正面に形成されたタンク収容部３３１に着脱可能に収容され、液体を貯蔵する液剤タンク３４０と、液剤タンク３４０に貯蔵された液体を吸引、吐出する液剤自動投入装置（図示ぜず）と、を備える。液剤タンク３４０は、液剤タンク３４０がタンク収容部３３１に収容された状態でタンク収容部３３１から出し入れ可能であり、引き出された状態で液剤タンク３４０の内部に液剤を案内する液剤案内部３６０を有する。
【０１００】
これにより、液剤タンク３４０がタンク収容部３３１に収容された状態で、液剤タンク３４０の一部である液剤案内部３６０をタンク収容部３３１の外に突出した状態にすることができる。そのため、タンク収容部３３１を筐体３０２の正面側に配置可能となり、使用者は手元で液剤の補給作業が可能となる。
【０１０１】
（実施の形態４）
以下、図１６を用いて、実施の形態４を説明する。
【０１０２】
（構成）
図１６は、実施の形態４における洗濯機の外観正面図である。
【０１０３】
図１６に示すように、実施の形態４におけるドラム式洗濯機４００は、筐体４０１の内部に、水平又は斜めに回転軸を有する回転ドラム（図示せず）が回転自在に配設されている。ドラム式洗濯機４００は、液剤案内部４６０と洗剤タンク４４０ａ及び柔軟剤タンク
４４０ｂとを離間し、液剤案内部４６０を筐体４０１の上部に設け、洗剤タンク４４０ａ及び柔軟剤タンク４４０ｂを筐体４０１の下部に設けている。なお、液剤案内部４６０とタンク本体４４１との間は、液剤案内部４６０を延設してもよいし、液剤経路を間に設けてもよい。また、洗剤タンク４４０ａ及び柔軟剤タンク４４０ｂの上部を液剤経路として形成してもよい。なお、液剤案内部４６０が収容されるタンク収容部４３１と、洗剤タンク４４０ａ及び柔軟剤タンク４４０ｂが収容されるタンク収容部４３１は別々に形成されていてもよい。
【０１０４】
液剤を投入する液剤案内部４６０と液剤を貯蔵する洗剤タンク４４０ａ及び柔軟剤タンク４４０ｂとを離間して配設したことで、容量の必要な液剤タンクを回転ドラムの下方に設けることができる。これにより、洗濯機本体の上部に液剤タンクを収容する空間を設けなくて済むので、回転ドラムを上方に配置できる。
【０１０５】
（作用等）
以上のように、本実施の形態において、洗濯機４００は、筐体４０１と、液体を貯蔵する液剤タンク４４０と、液剤タンク４４０に貯蔵された液体を吸引、吐出する液剤自動投入装置（図示せず）と、を備える。液剤タンク４４０は、筐体４０１に形成されたタンク収容部４３１に収容される液剤タンク４４０と、液剤タンク４４０の上方に配置され、引き出された状態で液剤タンク４４０の内部に液剤を案内する液剤案内部４６０を有する。
【０１０６】
これにより、容量の必要な液剤タンクを筐体４０１の下方に設けることができるので、回転ドラムを上方に配置可能となる。そのため、使用者は手元近傍で液剤を補給できる上に、回転ドラムが上方にあるので洗濯物を投入しやすい。
【０１０７】
（実施の形態５）
以下、図１７を用いて、実施の形態５を説明する。
【０１０８】
（構成）
図１７（ａ）は、実施の形態５における液剤タンクの液剤案内部が収容された状態の外観斜視図、図１７（ｂ）は、同液剤タンクの液剤案内部が引き出された状態の外観斜視図である。
【０１０９】
実施の形態５における洗濯機（図示せず）は、実施の形態１と同様に縦型洗濯機であり、液剤タンク５４０は、上部枠体（図示せず）に形成されたタンク収容部（図示せず）に収容されている。液剤タンク５４０には、液剤タンク５４０がタンク収容部に収容された状態で、前方に回動して開閉可能に設けられた液剤案内部５６０が設けられている。図１７に示すように、液剤案内部５６０の回動軸は水平方向となっている。液剤案内部５６０には、引出部把持部５６４を設けている。使用者は、図１７（ｂ）に示すように、引出部把持部５６４を引っ張って、液剤案内部５６０を正面側に引き出し、液剤を液剤案内部５６０に注入する。本実施の形態では、液剤案内部５６０の前面の裏面が液剤案内面となっており、タンク本体５４１の前面上部に形成された開口が液剤投入口５７１となっている。液剤案内面に投入された液剤は、液剤案内面を流下し、液剤投入口５７１からタンク本体５４１の内部に落下する。
【０１１０】
（作用等）
以上のように、本実施の形態において、洗濯機は、上部枠体と、上部枠体に形成されたタンク収容部に着脱可能に収容され、液体を貯蔵する液剤タンク５４０と、液剤タンク５４０に貯蔵された液体を吸引、吐出する液剤自動投入装置（図示せず）と、を備える。液剤タンク５４０は、液剤タンク５４０がタンク収容部に収容された状態で液剤タンク５４０の内部に液剤を案内する液剤案内部５６０を有する。また、液剤案内部５６０は、水平
方向に回動軸を有し、正面に向かって開くように構成されている。
【０１１１】
これにより、引出受部から直線的に引出可能に構成された引出部と比べて、液剤投入口５７１を手前に配置して、液剤が案内される距離を短く構成できる。そのため、液剤を大量に補給する際、液剤がすぐにタンク本体５４１に到達するため、液剤が液剤案内部５６０からこぼれづらい。
【０１１２】
（実施の形態６）
以下、図を用いて、実施の形態６を説明する。
【０１１３】
（構成）
図１８（ａ）は、実施の形態６における液剤タンクの液剤案内部が収容された状態の外観斜視図、図１８（ｂ）は、同液剤タンクの液剤案内部が引き出された状態の外観斜視図である。
【０１１４】
実施の形態６における洗濯機（図示せず）は、実施の形態１と同様に縦型洗濯機であり、液剤タンク６４０は、上部枠体（図示せず）に形成されたタンク収容部（図示せず）に収容されている。液剤タンク６４０には、液剤タンク６４０がタンク収容部に収容された状態で、正面側に回動して開閉可能に設けられた液剤案内部６６０が設けられている。図１８（ａ）及び図１８（ｂ）に示すように、液剤案内部６６０の回動軸は鉛直方向となっている。なお、回転軸は、液剤案内部６６０の左側でも右側でもよい。液剤案内部６６０には、引出部把持部６６４を設けている。使用者は、図１８（ｂ）に示すように、引出部把持部６６４を引っ張って、液剤案内部６６０を手前に引き出し、液剤を液剤案内部６６０に注入する。液剤案内部６６０の内部には、回動向きに対して下方傾斜する液剤案内面（図示せず）が設けられている。液剤案内面を流下した液剤は、液剤投入口６７１からタンク本体６４１の内部に落下する。
【０１１５】
（作用等）
以上のように、本実施の形態において、洗濯機は、上部枠体と、上部枠体に形成されたタンク収容部に着脱可能に収容され、液体を貯蔵する液剤タンク６４０と、液剤タンク６４０に貯蔵された液体を吸引、吐出する液剤自動投入装置（図示せず）と、を備える。液剤タンク６４０は、液剤タンク６４０がタンク収容部に収容された状態で液剤タンク６４０の内部に液剤を案内する液剤案内部６６０を有する。また、液剤案内部６６０は、鉛直方向に回動軸を有し、手前に向かって開くように構成されている。
【０１１６】
（他の実施の形態）
以上のように、本出願において開示する技術の例示として、実施の形態１〜６を説明した。しかしながら、本開示における技術は、これに限定されない。
【０１１７】
そこで、以下、他の実施の形態を例示する。
【０１１８】
実施の形態１、２、５、６では、洗濯機の一例として、縦型洗濯機である洗濯機１００を説明した。洗濯機は、液剤を用いて洗濯を行うものであればよいので、ドラム式洗濯機や二槽式洗濯機であってもよい。
【０１１９】
実施の形態３では、洗濯機の一例として、ドラム式洗濯機である洗濯機２００を説明した。洗濯機は、液剤を用いて洗濯を行うものであればよいので、縦型洗濯機や二槽式洗濯機であってもよい。
【０１２０】
実施の形態１では、自動投入駆動部から吐出された液剤が送り込まれる場所の一例とし
て、洗剤手動投入部１２０を説明した。また、洗剤手動投入部１２０に送り込まれた液剤は、注水ホース１２２を介して、水と共に洗濯兼脱水槽１０９に流し込まれると説明した。自動投入駆動部から吐出された液剤が送り込まれる場所は、上記に限定するものではない。例えば、洗剤手動投入部１２０を経由せず、洗濯兼脱水槽１０９と水槽１０６の間に送り込んでもよい。また、洗剤手動投入部１２０に送り込まれた液剤を、水と共に洗濯兼脱水槽１０９と水槽１０６の間に流し込んでもよい。
【０１２１】
実施の形態１〜６では、液剤タンクの一例として洗剤タンク１４０ａ及び柔軟剤タンク１４０ｂを説明した。液剤タンクは、液剤を収容するタンクであればよいので、洗剤タンク１４０ａ及び柔軟剤タンク１４０ｂに限定されない。例えば、液剤タンクの数は一つ又は三つであってもよいし、収容する液剤は洗剤又は柔軟剤に限定されず漂白剤等であってもよい。また、同一種類の液体を貯蔵する専用タンクを複数設けてもよく、例えば洗剤タンクが複数あってもよい。
【０１２２】
実施の形態３では、洗剤タンク２４０ａ及び柔軟剤タンク２４０ｂの配設位置の一例として、洗濯機本体の前面上部に配設する構成を説明した。配設位置は洗濯機本体の前面であればよいので、洗濯機本体の前面下部に配設してもよい。
【０１２３】
実施の形態１〜４では、液剤案内部の一例として引出部１６１と引出受部１６２を説明した。引出部１６１は、液剤をタンク本体１４１の内部に案内する構造であればよい。従って、液剤案内部は、引出受部と摺動してタンク収容部から引き出される引出部に限定されない。例えば、液剤案内部は、伸縮可能なホース形状であってもよい。また、実施の形態１〜４では、前後の直線方向に出し入れされる引出部を説明したが、出し入れする方向は前後の直線方向に限定されず、実施の形態５〜６のように回動してもよい。また、液剤案内部を外に出す構成は、使用者が液剤案内部を把持して引き出す構成に限定されず、バネ等の付勢力により液剤案内部を外に出す構成であってもよい。
【０１２４】
実施の形態１では、液剤案内面の一例として第１の傾斜面１６６及び第２の傾斜面１７０を説明した。液剤案内面は、液剤をタンク本体の内部に案内する構造であればよい。従って、液剤案内面は、第１の傾斜面１６６及び第２の傾斜面１７０に限定されない。例えば、液剤案内面は、曲面であってもよいし、筒状に形成してもよい。
【０１２５】
実施の形態１では、引出部把持部の一例として、開口部１６５と、第１の傾斜面１６６の裏面である上面と、開口部底面１６７と、水抜き孔１６８と、を備えた引出部把持部１６４を説明した。引出部把持部は、引出部を把持する指かけ部を備えていればよいので、引出部把持部１６４の構成に限定されない。例えば、指かけ部として、開口部の上辺から下方に延伸するリブを形成し、下からリブに指をかけるように構成してもよい。
【０１２６】
実施の形態１では、液剤タンクとタンク収容部の係合関係の一例として、爪１３７と溝１４６を説明した。液剤タンクとタンク収容部の係合関係は、液剤タンクがタンク収容部に着脱可能に収容される構成であればよいので、爪１３７と溝１４６に限定されない。例えば、タンク本体の底面に、下に凸である爪を形成し、タンク収容部に、タンク本体がタンク収容部に収容された状態で爪と対向する位置に溝を設けてもよい。また、タンク本体の背面に爪又は溝の一方を配置し、それと対向する位置に他方を配置してもよい。
【産業上の利用可能性】
【０１２７】
本開示は、液剤自動投入装置を備えた洗濯機に適用可能である。具体的には、縦型洗濯機、ドラム式洗濯機、二槽式洗濯機などに、本開示は適用可能である。
【符号の説明】
【０１２８】
１００  洗濯機
１０１  外枠（筐体）
１０２  上部枠体（筐体）
１０３  蓋
１０４  洗濯物投入口
１０５  操作表示部
１０６  水槽
１０７  水槽カバー
１０８  内蓋
１０９  洗濯兼脱水槽
１１０  パルセータ
１１２  モータ
１１４  制御装置
１１６  蓋ロック部
１１６ａ  蓋ロック挿入部
１１６ｂ  蓋ロック係合部
１１７  乾燥フィルタ部
１１８  乾燥空気用ホース
１１９  後方空間
１２０  洗剤手動投入部
１２１  洗剤入れ
１２２  注水ホース
１３０  液剤自動投入装置
１３１  タンク収容部
１３２  タンク収容部側接続部
１３４  接続部保護リブ
１３４ａ  保護リブ切欠き
１３５  収容部窪み部
１３６  収容部ガイドリブ
１３７  爪
１３８  収容部底面切欠き
１４０  液剤タンク
１４０ａ  洗剤タンク
１４０ｂ  柔軟剤タンク
１４１  タンク本体
１４２  化粧板
１４３  開口
１４４  透明窓
１４５  目盛り表示
１４５ａ  下限表示
１４６  溝
１４７  タンク本体把持部
１５０  液剤タンク側接続部
１５１  筒部
１５２  逆止弁
１５３  接続部パッキング
１５４  吸入管部
１５５  フィルタ
１５５ａ  孔
１５５ｂ  リブ
１５６  垂下リブ
１５６ａ  垂下リブ連通部
１５７  段差
１６０  液剤案内部
１６１  引出部
１６１ａ  摺動部
１６２  引出受部
１６２ａ  当接面
１６２ｂ  レール部
１６２ｃ  引出受部係合部
１６３  引出部パッキング
１６４  引出部把持部
１６５  開口部
１６６  第１の傾斜面
１６６ａ  第１の傾斜表面
１６６ｂ  第１の傾斜裏面
１６７  開口部底面
１６８  水抜き孔
１６９  指かけ部
１７０  第２の傾斜面
１７０ａ  下端部
１７１  液剤投入口
１７２  上限表示面
１７２ａ  上限表示
１７２ｂ  上限表示面切欠き
【図１】
2020171394.tif 000003
【図２】
2020171394.tif 000004
【図３】
2020171394.tif 000005
【図４】
2020171394.tif 000006
【図５】
2020171394.tif 000007
【図６】
2020171394.tif 000008
【図７】
2020171394.tif 000009
【図８】
2020171394.tif 000010
【図９】
2020171394.tif 000011
【図１０】
2020171394.tif 000012
【図１１】
2020171394.tif 000013
【図１２】
2020171394.tif 000014
【図１３】
2020171394.tif 000015
【図１４】
2020171394.tif 000016
【図１５】
2020171394.tif 000017
【図１６】
2020171394.tif 000018
【図１７】
2020171394.tif 000019
【図１８】
2020171394.tif 000020